(57)【特許請求の範囲】
【請求項１】
壁材を断熱性材で構成し、少なくとも一面の開口部には開閉用ドアが設けられた保冷庫であって、食品等を収納する物品収納室と、該物品収納室に隣設して保冷剤を収納する保冷剤収納室と、前記物品収納室と保冷剤収納室との間に形成された通風路と、該通風路には前記物品収納室内空気の取込み用の送風機と通気路内で前記保冷剤収納室の壁面と熱交換させた空気を前記物品収納室に吹出すための吹出口とで成る冷却装置と、前記保冷剤収納室を複数に分割可能とする仕切部材とを備え、前記保冷剤収納室を前記仕切部材が複数に分割したときに保冷剤を収納するために使用する収納皿を前記仕切部材に設けたことを特徴とする保冷庫。
【発明の詳細な説明】
【０００１】
【発明の属する技術分野】
本発明は保冷庫に関するもので、詳述すれば、ドライアイス等の保冷剤を用いた保冷庫に関するもので、特に食品等を冷凍又は冷蔵状態で航空機やトラック等の輸送手段に搭載して使用する保冷コンテナとして使用する場合に好適な保冷庫に関するものである。
【０００２】
【従来の技術】
従来の此の種保冷庫の冷却方法は、一般に、冷却設備はなく保冷を函体の断熱だけによるもの、機械式冷凍機を搭載しているもの、蓄冷剤を用いるもの、ドライアイス等の保冷剤を用いるもの、或いはこれらの組合せ使用によるもの等がある。
【０００３】
そして、ドライアイス等の保冷剤を用いるものは、特開平９−２７２５８８号公報に開示されている。斯かる公報によれば、庫内上部にドライアイス収納部を配置し、自然対流で庫内を冷却するようにしている。
【０００４】
そして、一般に、庫内到達温度はドライアイスの収納量で異なり（量が多いほど低温になる）、庫内温度を一定時間保持するにはドライアイスの収納量が多いほど長く、特に自然対流では外気温度から所定の庫内温度までの到達時間が長時間となる。
【０００５】
【発明が解決しようとする課題】
従って、自然対流では、外気温度から所定の庫内温度までの到達時間が長時間となるため、本発明はファンを用いて庫内空気を強制循環させて前記到達時間を短時間とし、また簡単な構成により１台で冷凍と冷蔵を使い分けできるようにしたものである。
【０００６】
【課題を解決するための手段】
このため本発明は、壁材を断熱性材で構成し、少なくとも一面の開口部には開閉用ドアが設けられた保冷庫であって、食品等を収納する物品収納室と、該物品収納室に隣設して保冷剤を収納する保冷剤収納室と、前記物品収納室と保冷剤収納室との間に形成された通風路と、該通風路には前記物品収納室内空気の取込み用の送風機と通気路内で前記保冷剤収納室の壁面と熱交換させた空気を前記物品収納室に吹出すための吹出口とで成る冷却装置と、前記保冷剤収納室を複数に分割可能とする仕切部材とを備え、前記保冷剤収納室を前記仕切部材が複数に分割したときに保冷剤を収納するために使用する収納皿を前記仕切部材に設けたことを特徴とする。
【００１０】
【発明の実施の形態】
以下図面に基づき、本発明の実施の形態について説明する。１は航空機やトラック等の輸送手段に積載される保冷コンテナとして使用される保冷庫で、下面の四隅には移動し易いようにキャスター２が設けられている。該保冷庫１はその内壁が金属材料、例えばステンレスで形成されて、食品等を収納するための物品収納室３が形成された断熱箱状を呈し、その前面開口部にはヒンジ４により開閉可能な前面ドア５が設けられている。６は前面ドア５のロック機構で、その把手７の操作によりロック機構６が解除され前面ドア５は開く。
【００１１】
前記保冷庫１内上部の後部寄りには、左右の側壁間に、例えばステンレスの区画板１０が水平に設けられてその下方を前記物品収納室３とし、上方を冷却のための空間１１としている。１２は保冷剤、例えばドライアイス１３を収納載置するための保冷剤収納室で、該保冷剤収納室１２は箱状を呈しており、ドライアイス１３を載置する底面は熱伝導率の良好な金属材料、例えばアルミニウムで形成され、その他の面はステンレスで形成している。
【００１２】
そして、前記区画板１０の左部には、例えばＤＣ１２ボルトのバッテリー電源を用いて運転される循環用送風機１５が前後に夫々設けられ、前記保冷剤収納室１２と前記区画板１０との間には通風ダクト１４が形成され、前記区画板１０の右部に吹出口１６を開口している。従って、循環用送風機１５と吹出口１６とで冷却装置が構成され、前記物品収納室３と前記保冷剤収納室１２とは隣設して配置されることになる。即ち、循環用送風機１５により前記物品収納室３内空気が前記通風ダクト１４内に導かれ、前記保冷剤収納室１２の底面及び両側面と熱交換した空気は前記物品収納室３に送られて循環することになる。
【００１３】
そして、冷凍庫として使用する場合には、庫内温度が、例えばマイナス２０度Ｃとなるように、また冷蔵庫として使用する場合には、庫内温度が、例えば０度Ｃ〜１０度Ｃの間の任意の温度になるように、サーモスタット(図示せず)を用いて前記循環用送風機１５の運転及び停止を制御する。
【００１４】
前記保冷庫１の後面上部には後面ドア１７が設けられ、図２のように開くと前記保冷剤収納室１２の後面が開口することなり、該収納部１２にドライアイス１３を載置できる。尚、該後面ドア１７を閉めると、前記保冷剤収納室１２は略密閉状態になるが、ドライアイス１３が昇華して発生した炭酸ガスは該ドア１７に設けた通気孔より庫外へ排出されるので、庫内の収納物には影響を及ぼさない。
【００１５】
ここで、庫内到達温度はドライアイス１３の収納量で異なり（量が多いほど低温になる）、庫内温度を一定時間保持するにはドライアイス１３の収納量が多いほど長い。また、食品等の種類によっては鮮度保持のため冷凍或いは冷蔵する必要があるが、冷凍、冷蔵の温度帯はドライアイス１３の載置面積を調節すれば良いので、冷凍或いは冷蔵するには以下のように構成する。
【００１６】
即ち、図５に示すように、保冷剤収納室１２内に該収納部１２を前後に二分可能とする仕切部材２０を設ける。該仕切部材２０は、大きく分けて前記保冷庫１の上壁内面にビス止め固定される左右一対の支持部材２１と、該支持部材２１に回動可能に支持されて保冷剤収納室１２を前後に分割可能とする仕切板２２と、該仕切板２２に回動可能に軸支されるドライアイス収納用のステンレス製の収納皿２３とからなる。
【００１７】
以下夫々について詳述すると、前記各支持部材２１は概ねＬ字形状を呈し、その上面２４には前記保冷庫１の上壁内面にビス止め固定するための取付孔２５が開設され、また対向面２６には３個のピン２７、２８、２９が立設されている。
【００１８】
前記仕切板２２は前記各支持部材２１に連結する連結部３０と、該連結部３０が回動することにより前記保冷剤収納室１２を前後に分割可能とする仕切面３１とから成る。前記連結部３０には前記各ピン２９が嵌合する長孔形状の案内孔３２が開設されると共に、前記保冷剤収納室１２を前後に分割するときには上方の前記ピン２７に係止し、分割しないときには下方の前記ピン２８に係止するストッパー部３３が形成されている。また、該連結部３０のストッパー部３３とは反対側の他端には前記仕切面３１が固定されている。
【００１９】
前記収納皿２３はその載置面が上方を向いたときの上面及び前面が開口しており、また前記仕切板２２の仕切面３１が垂下して前記保冷剤収納室１２を前後に仕切った状態で回動して載置面が上方を向いたときに仕切板２２に当接して水平となるように維持するためのストッパー３４が夫々設けられる。
【００２０】
３５、３６は、前記仕切板２２の仕切面３１に、前記収納皿２３の載置面に夫々開設した回動用の操作孔である。
【００２１】
尚、物品収納室３、保冷剤収納室１２及び収納皿２３は、目的の温度及びその保持継続時間に応じてその容積や底面積を種々変更すれば良く、ドライアイス１３の収納量、収納面積によっても、変更可能である。
【００２２】
以上の構成により、以下その使用態様について説明する。先ず、図４、７、１２に基づき、冷凍庫として使用する場合について説明する。初めに、後面ドア１７を開けて前記仕切板２２の仕切面３１及び前記収納皿２３を水平状態にして、前記保冷剤収納室１２の底面上に全域に亘ってドライアイス１３を載置する。この場合、ピン２９が案内孔３２内の仕切面３１寄りにあり、ピン２８にストッパー部３３が係止することにより、仕切面３１が前述のように水平状態に保持され、前記収納皿２３も同様に水平状態となる。
【００２３】
次に、前記後面ドア１７を閉めるが、循環用送風機１５により前記物品収納室３内の空気が前記通風ダクト１４内に導かれ、前記保冷剤収納室１２の底面及び両側面と熱交換した空気は前記物品収納室３に送られて循環することになる。そして、約１時間半超経過して庫内温度がマイナス２０度Ｃとなったら、前面ドア５を開けて物品収納室３内にアイスクリームや冷凍食品等を収納した後、該前面ドア５を閉める。
【００２４】
以上の実施形態で、庫内の内容積が１０００リットルで、ドライアイス１３を２３Ｋｇ用いて、周囲温度が比較的高い３０度Ｃ、サーモスタットでマイナス１８度Ｃで送風機１５を運転させマイナス２０度Ｃで停止させることにより、庫内温度が約マイナス２０度Ｃで１０時間程度維持保冷できる。勿論、これよりも長時間保冷する場合には、ドライアイス１３の量を増加させれば良い。
【００２５】
また、図５、９、１３に基づき、冷蔵庫として、周囲温度が高いときに使用する場合について説明する。先ず後面ドア１７を開けて、前記操作孔３５、３６に指を差込み手前上方に引くと、前記ピン２９が案内孔３２内を摺動しながら、前記ピン２８とストッパー部３３の係止が解かれて、自重で前記仕切板２２及び収納皿２３が回動する。その回動途中が図８に示されている。そして、前記仕切板２２の仕切面３１及び前記収納皿２３が垂下状態となり、前記保冷剤収納室１２は仕切部材２０により二分される。この場合、ピン２９が案内孔３２内のストッパー部３３寄りにあり、ピン２７に該ストッパー部３３が係止し前記仕切面３１及び前記収納皿２３を垂下状態とする。そして、前記保冷剤収納室１２内の仕切部材２０より後方の底面上にドライアイス１３を載置する。この場合、ドライアイス１３の量は前述の冷凍の場合の約半分、具体的には１０Ｋｇとなる。次に、前記後面ドア１７を閉めて、約１時間半経過して、前述のように冷却され庫内温度が４度Ｃ前後となったら、前面ドア５を開けて物品収納室３内に冷蔵食品等を収納した後、該前面ドア５を閉める。即ち、周囲温度が３０度Ｃのときに、前記サーモスタットで６度Ｃで送風機１５を運転させ４度Ｃで停止させることにより、庫内温度が約４度Ｃで１０時間程度維持保冷できる。
【００２６】
更に図６、１１、１４に基づき、冷蔵庫として、前述よりは周囲温度が低いときに使用する場合について説明する。先ず後面ドア１７を開けて、前記収納皿２３の前記操作孔３６に指を差込み手前下方に引くと、図１０に示すように、該収納皿２３は回動する。更に回動すると、図１１に示すように、収納皿２３のストッパー３４が仕切板２２に当接し、仕切面３１と収納皿２３とは直角をなす位置で停止する。そして、前記保冷剤収納室１２内の収納皿２３内にドライアイス１３を載置する。この場合、ドライアイス１３の量は前述の冷蔵の場合の約半分となり、しかも収納皿２３は保冷剤収納室１２内に浮いており、収納室１２の底壁とは離れている。次に、前記後面ドア１７を閉めて、前述のように冷却され庫内温度が、例えば４度Ｃ前後となったら、前面ドア５を開けて物品収納室３内に冷蔵食品等を収納した後、該前面ドア５を閉める。
【００２７】
即ち、周囲温度が比較的低い１５度Ｃのとき、ドライアイス１３を７Ｋｇ用いて、前記サーモスタットで６度Ｃで送風機１５を運転させ４度Ｃで停止させることにより、前述の如く、庫内温度が約４度Ｃで１０時間程度維持保冷できる。
【００２８】
【発明の効果】
以上説明したように本発明は、外気温度から所定の庫内温度までの到達時間を短時間とすることができ、また簡単な構成により１台で冷凍と冷蔵を使い分けすることができる。
【００２９】
更には、仕切部材が保冷剤収納室を複数に分割したときに保冷剤を収納するために使用する収納皿を仕切部材に設けたことにより、三種類の温度帯で使用できる。
【図面の簡単な説明】
【図１】図１は保冷庫の正面図である。
【図２】図２は保冷庫の右側面図である。
【図３】図３は保冷庫の上部の縦断正面図である。
【図４】図４は保冷庫の上部の縦断右側面図で、冷凍する場合の使用態様を示す。
【図５】図５は保冷庫の上部の要部縦断右側面図で、冷蔵する場合の使用態様を示す。
【図６】図６は保冷庫の上部の要部縦断右側面図で、収納皿を用いて冷蔵する場合の使用態様を示す。
【図７】図７は冷凍する場合の仕切部材等の使用状態を示す縦断右側面図である。
【図８】図８は冷凍する場合から冷蔵する場合の仕切部材の移動状態を示す縦断右側面図である。
【図９】図９は冷蔵する場合の仕切部材等の使用状態を示す縦断右側面図である。
【図１０】図１０は所定温度で冷蔵する場合からこれより高い温度で冷蔵する場合の仕切部材の移動状態を示す縦断右側面図である。
【図１１】図１１は収納皿を用いて冷蔵する場合の仕切部材等の縦断右側面図である。
【図１２】図１２は冷凍する場合の仕切部材等の使用状態を示す斜視図である。
【図１３】図１３は冷蔵する場合の仕切部材等の使用状態を示す斜視図である。
【図１４】図１４は収納皿を用いて冷蔵する場合の仕切部材等の斜視図である。
【符号の説明】
１            保冷庫
２            キャスター
３            物品収納室
５            前面ドア
１０          区画板
１２          保冷剤収納室
１３          ドライアイス
１４          通風ダクト
１５          循環用送風機
１６          吹出口
２０          仕切部材
２３          収納皿
【図１】
0004301682.tif 000002
【図２】
0004301682.tif 000003
【図３】
0004301682.tif 000004
【図４】
0004301682.tif 000005
【図５】
0004301682.tif 000006
【図６】
0004301682.tif 000007
【図７】
0004301682.tif 000008
【図８】
0004301682.tif 000009
【図９】
0004301682.tif 000010
【図１０】
0004301682.tif 000011
【図１１】
0004301682.tif 000012
【図１２】
0004301682.tif 000013
【図１３】
0004301682.tif 000014
【図１４】
0004301682.tif 000015